(57)【特許請求の範囲】
【請求項１】
発信機と、当該発信機を操作した場合及び異常を検出した場合に警報する複数の警報器からなる警報システムに於いて、
前記発信機は、
非常通報を指示する非常操作部と、
前記非常通報を除く日常通報を、利用者間のコミュニケーションを図る所定の通報内容及び通報先警報器を所定の操作により選択して指示する通報操作部と、
イベント信号を送信する送信処理部と、
自己の状態変化を検出するイベント検出部と、
前記イベント検出部で前記非常操作部の操作による非常通報指示を検出した場合に、前記非常通報を示すイベント信号を前記送信処理部により送信させる発信制御部と、
前記イベント検出部で前記通報操作部の操作による日常通報指示を検出した場合に、前記通報内容及び通報先警報器を示すイベント信号を前記送信処理部により送信させる通報制御部と、
を設け、
前記警報器は、
前記非常通報を示すイベント信号を受信したときに非常通報を示す警報を出力し、
前記通報内容及び通報先警報器を示すイベント信号を受信したときは、当該通報先警報器が自己である場合に当該通報内容を報知することを特徴とする警報システム。
【請求項２】
請求項１記載の警報システムに於いて、
前記発信機は、更に、発信機灯を備え、
前記発信機の発信制御部及び通報制御部は、前記送信処理部によりイベント信号を送信して前記発信機灯を点滅又は明滅させ、所定時間後に前記発信機灯の点滅又は明滅を停止して点灯に切替え、更にその後所定時間後に消灯させることを特徴とする警報システム。
【請求項３】
請求項１記載の警報システムに於いて、
前記発信機は、更に、発信機灯を備え、
前記発信機の発信制御部及び通報制御部は、前記送信処理部によりイベント信号を送信して前記発信機灯を点滅又は明滅させ、その後前記イベント検出部で、前記警報器からの確認応答イベント信号受信を検出した場合に、前記発信機灯の点滅又は明滅を停止して点灯に切替え、更にその後所定時間後に消灯させることを特徴とする警報システム。
【請求項４】
請求項１記載の警報システムに於いて、
前記発信機は、更に、非常通報試験を指示する試験操作部を備え、
前記発信機の発信制御部は、前記イベント検出部で前記試験操作部の操作による非常通報試験指示を検出した場合に、前記非常通報試験を示すイベント信号を前記送信処理部により送信させ、
前記警報器は、前記非常通報試験を示すイベント信号を受信したときに試験報知することを特徴とする警報システム。
【請求項５】
所定の操作により、異常を検出した場合に警報する複数の警報器に警報させる発信機に於いて、
非常通報を指示する非常操作部と、
前記非常通報を除く日常通報を、利用者間のコミュニケーションを図る所定の通報内容及び通報先警報器を所定の操作により選択して指示する通報操作部と、
イベント信号を送信する送信処理部と、
自己の状態変化を検出するイベント検出部と、
前記イベント検出部で前記非常操作部の操作による非常通報指示を検出した場合に、前記非常通報を示すイベント信号を前記送信処理部により送信して全ての警報器から非常通報を示す警報を出力させる発信制御部と、
前記イベント検出部で前記通報操作部の操作による日常通報指示を検出した場合に、前記通報内容及び通報先警報器を示すイベント信号を前記送信処理部により送信して前記通報先の警報器から前記通報内容を報知させる通報制御部と、
を設けたことを特徴とする発信機。
【請求項６】
請求項５記載の発信機に於いて、
更に、発信機灯を備え、
前記発信制御部及び通報制御部は、前記送信処理部によりイベント信号を送信して前記発信機灯を点滅又は明滅させ、所定時間後に前記発信機灯の点滅又は明滅を停止して点灯に切替え、更にその後所定時間後に消灯させることを特徴とする発信機。
【請求項７】
請求項５記載の発信機に於いて、
更に、発信機灯を備え、
前記発信制御部及び通報制御部は、前記送信処理部によりイベント信号を送信して前記発信機灯を点滅又は明滅させ、その後前記イベント検出部で、前記警報器からの確認応答イベント信号受信を検出した場合に、前記発信機灯の点滅又は明滅を停止して点灯に切替え、更にその後所定時間後に消灯させることを特徴とする発信機。
【請求項８】
請求項５記載の発信機に於いて、
更に、非常通報試験を指示する試験操作部を備え、
前記発信制御部は、前記イベント検出部で前記試験操作部の操作による非常通報試験指示を検出した場合に、前記非常通報試験を示すイベント信号を前記送信処理部により送信して前記警報器から試験報知させることを特徴とする発信機。
【発明の詳細な説明】
【技術分野】
【０００１】
本発明は、火災などの異常を検出して警報する連動型の警報器から、発信機の押釦操作により発信した警報を出力させる警報器と発信機とからなる警報システム及び発信機に関する。
【背景技術】
【０００２】
従来、住宅における火災やガス漏れなどの異常（異状）を検出して警報する警報器が普及している。このうち、住宅用災警報器を住警器と言う。
【０００３】
例えばこのような住警器にあっては、センサ部と警報部（報知部）を一体に備え、センサ部で火災を検出すると警報部から音声メッセージなどにより火災警報を出力するようにしており、専用の受信設備等を必要とせず単体で火災監視と警報ができることから、設置が簡単でコスト的にも安価であり、一般住宅での設置義務化に伴い広く普及している。
【０００４】
また、複数の住警器間で通信を行うことによって、任意の住警器で火災警報が行われると、他の住警器でも連動して警報を行う、連動型の住警器システムも提案されている。
【０００５】
このような住警器システムでは、住警器で火災を検出した場合には、火災を検出した連動元の住警器は、例えば「ウーウー火災警報器が作動しました  確認してください」との音声メッセージを出力するようにしている。
【０００６】
一方、連動先となる他の住警器では例えば「ウーウー別の火災警報器が作動しました」との音声メッセージを出力する。このような連動型の住警器を用いた警報システムによれば、住宅内の各所で火災監視を行いつつ、例えば火災発生場所に設置されている警報器からの警報音が聞き取りにくい場所でも、連動先での連動警報により火災の発生をいち早く確実に知ることができる。
【先行技術文献】
【特許文献】
【０００７】
【特許文献１】特開２００７−０９４７１９号公報
【発明の概要】
【発明が解決しようとする課題】
【０００８】
しかしながら、このような従来の連動型の警報器システムおいては、住警器を設置した部屋など各住警器の監視エリアにおける火災を監視することはできるが、住戸における住戸内全てのエリアを各住警器の監視領域としてカバーすることは難しく、これを解決すべく多数の住警器を設置することはコスト的な負担が大きいことから、火災の危険の高い台所や居室を中心に住警器を設置しており、例えば廊下やトイレなど、その他の場所については従来通り居住者等による発見に頼らざるを得ない。このような場所での火災発生を知った居住者等が住戸内の他の部屋にいる同居人等に火災発生を知らせる場合、火災が拡大して近隣の住警器が火災検出して警報ないし連動警報動作が行われるまでの間は、声によって知らせるか、他の居住者を捜して知らせる等しなければならないが、これが初期消火や避難を遅らせることにもなりかねない。
【０００９】
また、火災発生場所が住警器の監視領域内であっても、火災或いは火災予兆の発生後実際に住警器が火災を検出するまでには所定の時間を要する場合があり、従って住警器の火災検出よりも前に、居住者が火災或いは火災予兆を発見する場合もあり得る。このような場合に、住居内の他の場所に居る他の居住者等へ火災ないし火災予兆発見の事実を知らせるときにも、上記同様の問題点があった。
【００１０】
また無線を使用する連動型警報器システムの無線ネットワークと音声報知機能を活用して、異常検出やそれに伴う警報機能以外の日常的な利用が可能となれば、付加価値が高まり、連動型警報器の普及がより一層促進されることが期待できる。
【００１１】
本発明は、押釦操作によって警報器から警報出力させることに加え、火災等の異常警報以外にも日常的な通報（連絡、通知）を行わせることができるようにして利便性を向上する発信機と警報器とからなる警報システム及び発信機を提供することを目的とする。
【課題を解決するための手段】
【００１２】
（警報システム）
本発明は、発信機と、当該発信機を操作した場合及び異常を検出した場合に警報する複数の警報器からなる警報システムに於いて、
発信機は、
非常通報を指示する非常操作部と、
非常通報を除く日常通報を、利用者間のコミュニケーションを図る所定の通報内容及び通報先警報器を所定の操作により選択して指示する通報操作部と、
イベント信号を送信する送信処理部と、
自己の状態変化を検出するイベント検出部と、
イベント検出部で非常操作部の操作による非常通報指示を検出した場合に、非常通報を示すイベント信号を送信処理部により送信させる発信制御部と、
イベント検出部で通報操作部の操作による日常通報指示を検出した場合に、通報内容及び通報先警報器を示すイベント信号を送信処理部により送信させる通報制御部と、
を設け、
警報器は、
非常通報を示すイベント信号を受信したときに非常通報を示す警報を出力し、
通報内容及び通報先警報器を示すイベント信号を受信したときは、当該通報先警報器が自己である場合に当該通報内容を報知することを特徴とする。
【００１３】
本発明の警報システムの発信機は、更に、発信機灯を備え、
発信機の発信制御部及び通報制御部は、送信処理部によりイベント信号を送信して発信機灯を点滅又は明滅させ、所定時間後に発信機灯の点滅又は明滅を停止して点灯に切替え、更にその後所定時間後に消灯させる。
【００１４】
本発明の警報システムの発信機は、更に、発信機灯を備え、
発信機の発信制御部及び通報制御部は、送信処理部によりイベント信号を送信して発信機灯を点滅又は明滅させ、その後、イベント検出部で、警報器からの確認応答イベント信号受信を検出した場合に、発信機灯の点滅又は明滅を停止して点灯に切替え、更にその後所定時間後に消灯させる。
【００１５】
本発明の警報システムの発信機は、更に、非常通報試験を指示する試験操作部を備え、
発信機の発信制御部は、イベント検出部で試験操作部の操作による非常通報試験指示を検出した場合に、非常通報試験を示すイベント信号を送信処理部により送信させ、
警報器は、非常通報試験を示すイベント信号を受信したときに試験報知する。
【００１６】
（発信機）
本発明は、所定の操作により、異常を検出した場合に警報する複数の警報器に警報させる発信機に於いて、
非常通報を指示する非常操作部と、
非常通報を除く日常通報を、利用者間のコミュニケーションを図る所定の通報内容及び通報先警報器を所定の操作により選択して指示する通報操作部と、
イベント信号を送信する送信処理部と、
自己の状態変化を検出するイベント検出部と、
イベント検出部で非常操作部の操作による非常通報指示を検出した場合に、非常通報を示すイベント信号を送信処理部により送信して全ての警報器から非常通報を示す警報を出力させる発信制御部と、
イベント検出部で通報操作部の操作による日常通報指示を検出した場合に、通報内容及び通報先警報器を示すイベント信号を送信処理部により送信して通報先の警報器から通報内容を報知させる通報制御部と、
を設けたことを特徴とする。
【００１７】
本発明の発信機は、更に、発信機灯を備え、
発信制御部及び通報制御部は、送信処理部によりイベント信号を送信して発信機灯を点滅又は明滅させ、所定時間後に発信機灯の点滅又は明滅を停止して点灯に切替え、更にその後所定時間後に消灯させる。
【００１８】
本発明の発信機は、更に、発信機灯を備え、
発信制御部及び通報制御部は、送信処理部によりイベント信号を送信して発信機灯を点滅又は明滅させ、その後、イベント検出部で、警報器からの確認応答イベント信号受信を検出した場合に、発信機灯の点滅又は明滅を停止して点灯に切替え、更にその後所定時間後に消灯させる。
【００１９】
本発明の発信機は、更に、非常通報試験を指示する試験操作部を備え、
発信制御部は、イベント検出部で試験操作部の操作による非常通報試験指示を検出した場合に、非常通報試験を示すイベント信号を送信処理部により送信して警報器から試験報知させる。
【発明の効果】
【００２０】
本発明のび警報システム及び発信機によれば、警報器を設置していないか警報器の設置場所から離れた場所で発生した火災等の異状を居住者等が発見した場合、或いは警報器が異状を検出する前に居住者等が異状を発見した場合、最寄りに設置されている発信機を押釦操作することで、住宅内に設置している連動型警報器から一斉に異状発生を示す警報が報知出力され、他の居住者等に迅速且つ確実に知らせて適切な対処や避難ができる。
【００２１】
また、台所などに発信機を設置しておき、食事、お風呂、起床、睡眠などの日常的な通知内容を選択操作して連動型警報器から報知させることで、連動型警報器の無線ネットワークと警報器の音声報知機能を活用して簡単且つ容易に家庭内での日常コミュニケーションを図ることができる。
【００２２】
また、発信機の操作により日常的に通報機能が利用されているため、連動報知機能が確認されていることになり、万一、火災等の異常時に操作した場合にも確実に連動型の警報器から異常警報を出すことが保証され、発信機による異常通報機能の信頼性を維持向上することができる。
【００２３】
また、発信機による通報機能が日常的に利用できることで、連動型の警報器と発信機を組み合わせた連動型警報システムの普及をより一層促進することが期待できる。
【図面の簡単な説明】
【００２４】
【図１】住警器と発信機で構成される本発明による警報システムを設置した住宅を示した説明図
【図２】本発明による日常通報機能を備えた無線式の発信機の外観を示した説明図
【図３】日常通報機能を持たない無線式の発信機の外観を示した説明図
【図４】本発明による発信機の発信先となる無線式の住警器の外観を示した説明図
【図５】図２の本発明による発信機の実施形態を示したブロック図
【図６】図５の発信機の操作で送信する日常的な通報内容の例を示した説明図
【図７】図３の日常通報機能のない発信機の実施形態を示したブロック図
【図８】本発明の発信機からのイベント信号を受信して報知する住警器の実施形態を示したブロックス図
【図９】本実施形態で使用するイベント信号のフォーマットを示した説明図
【図１０】図３の発信機による発信機処理を示したフローチャート
【図１１】図１０に続く発信機処理を示したフローチャート
【図１２】図７の発信機による発信機処理を示したフローチャート
【図１３】図８の住警器による監視処理を示したフローチャート
【図１４】図１３に続く住警器の監視処理を示したフローチャート
【図１５】図１４に続く住警器の監視処理を示したフローチャート
【発明を実施するための形態】
【００２５】
図１は住宅に対する本発明による警報システムの機器設置例を示した説明図である。図１の例にあっては、住宅２４で例えば居間、台所、子供部屋、寝室、階段室のそれぞれに火災を検出して警報する無線式住警器１００が設置されている。また台所には本発明による日常的な通報機能を備えた無線式の発信機となるマスタ発信機１０が設置され、寝室と廊下には、日常的な通報機能を持たない無線式の発信機１１を設置している。このような発信機１１を、例えばトイレや脱衣所等にも設置しても良い。
【００２６】
なお本発明の警報システムは、少なくともマスタ発信機１０を１台と住警器１００を１台備えていれば良く、それ以外に台数構成を制限するものではない。
【００２７】
住警器１００は、イベント信号を無線により相互に送受信する機能を備え、住宅の各所で火災監視を行っている。いま住宅２４の台所で万一、火災が発生したとすると、火災発生場所の住警器１００が火災を検出して警報を開始する。このように火災を検出して警報を開始することを、住警器における「発報」という。
【００２８】
住警器１００が発報するとき、その住警器は連動元として機能し、連動先となる他の住警器１００に対し、火災発生を示すイベント信号を無線送信する。連動先となる他の住警器１００は、連動元の住警器１００からの火災発生を示すイベント信号を受信した場合に、音と表示の出力により連動先としての警報動作を行う。なお、イベント信号を受信した住警器１００は、必要に応じ当該イベント信号の中継送信を行う。
【００２９】
住警器１００が検出する自己のイベント（以下「警報器イベント」という）としては、上述の火災発生だけでなく、火災復旧、警報停止操作等があり、また他の住警器からの各種イベント信号受信も含まれる。これらについては後述する。
【００３０】
連動元となった住警器１００の警報動作としては、例えば「ウーウー  火災警報器が作動しました  確認してください」といった音声メッセージによる警報音を出力する。一方、連動先の住警器１００にあっては、警報動作として例えば「ウーウー  別の火災警報器が作動しました  確認してください」といった音声メッセージによる警報音を出力する。
【００３１】
また連動元となった住警器１００の警報に伴う表示（警報表示という）としては、例えばＬＥＤを点灯させる。一方、連動先の住警器１００にあっては、ＬＥＤを点滅させる。これによって、連動元警報と連動先警報におけるＬＥＤによる警報表示を区別できるようにしている。
【００３２】
なお、連動元のＬＥＤを点滅とし、連動先のＬＥＤを点灯や連動元と周期の異なる点滅としても良いし、連動元警報と連動先警報のいずれについても、同じＬＥＤの明滅または点滅、点灯表示であっても良い。また例えば赤色ＬＥＤと黄色ＬＥＤを設け、連動元は赤色ＬＥＤを駆動し、連動先は黄色ＬＥＤを駆動するといった色分け表示としても良い。この場合もちろん、ＬＥＤには赤色と黄色の両方を発光可能な２色ＬＥＤが採用できる。
【００３３】
住警器１００が警報音を出力している状態で、警報停止スイッチ（後述）を操作すると、警報音及び／又は警報表示の停止処理が行われる。
【００３４】
このとき例えば、連動元である住警器で警報停止操作が行われた場合には、全ての住警器の警報（警報音出力および／または警報表示出力）を停止し、連動先である住警器の何れかで警報停止操作が行われた場合には、連動元の住警器の警報動作は停止せず、連動先の住警器の警報動作を停止するようにする。
【００３５】
マスタ発信機１０は非常操作部として非常押釦を設けており、火災などの非常時に居住者が非常押釦を操作すると、非常通報を示すイベント信号（非常通報イベント信号という）を送信する。マスタ発信機１０から送信された非常通報を示すイベント信号は住警器１００で受信され、住警器１００において警報動作が行われる。この警報動作としては「ウーウー  発信機が作動しました  確認してください」といった音声メッセージによる警報音を出力する。また警報表示としては、例えばＬＥＤを点灯させる。
【００３６】
また、マスタ発信機１０には発信機灯が設けられており、非常押釦を操作すると発信機灯が点滅して非常通報が行われたことを報知する。この表示報知は、非常通報を示すイベント信号の送信中に出力したり、送信終了後に出力したりすることができる。また例えば、送信中は点滅とし、送信終了後所定時間点灯としてその後消灯する等、適宜のパターンで出力することができる。またマスタ発信機１０にはスピーカも設けられており、非常押釦の操作音や非常通報イベント信号の送信完了音などを出すことできでる。更にマスタ発信機１０には試験操作部として試験スイッチが設けられ、これを操作することで非常通報機能の確認試験ができる。
【００３７】
また、マスタ発信機１０には、例えば食事、お風呂、起床、就寝など、住居内で日常的に通知したい内容を選択操作する種別スイッチと、通報先の住警器１００を選択する通報スイッチが設けられる。即ち種別スイッチと通報スイッチは、通報操作部となる。
【００３８】
マスタ発信機１０は、種別スイッチの操作によって選択された通報内容及び通報先住警器を指定する通報スイッチの操作を検出した場合に、通報内容及び通報先警報器ＩＤを含む通報イベント信号を送信して通報先の住警器１００から選択した通報内容を報知させる。
【００３９】
発信機１１はマスタ発信機１０と同様に非常押釦を設けているが、種別スイッチと通報スイッチは設けられておらず、日常的な通報機能を持たない点で相違し、それ以外の点はマスタ発信機１０と同じである。なお、発信機１０は必ずしも設ける必要はなく、全ての発信機をマスタ発信機１０としても良い。
【００４０】
図２は本発明による無線式のマスタ発信機１０の外観を示した説明図であり、図２（Ａ）に正面図を、図２（Ｂ）に側面図を示している。
【００４１】
図２において、本実施形態のマスタ発信機１０の筐体はカバー１２と本体１４で構成されている。カバー１２の中央には、非常押釦１６が設けられる。非常押釦１６は、半透明部材で形成されたスイッチカバーと、スイッチカバーの内部に配置されたタクトスイッチ（図示せず）とで構成されている。即ち、スイッチカバーを押圧操作すると、タクトスイッチが押圧されるようになっている。
【００４２】
スイッチカバー内部のタクトスイッチ近傍には、点線で示すように発信機灯として機能するＬＥＤ１７が配置されており、その作動光が非常押釦１６のスイッチカバーの部分を透過して外部から視認できるようにしている。非常押釦１６を押圧操作するとＬＥＤ１７が例えば点滅し、非常通報イベント信号の送信完了が内部的に確認されると点灯に切り替わり、所定時間後に消灯する。
【００４３】
なお、通常時にもＬＥＤ１７を比較的長周期で間欠的に発光させ、利用者が普段から所在を確認できるようにしても良い。
【００４４】
非常押釦１６の左下側にはスリット状の音響孔２０が複数設けられ、この背後（内部側）にブザーやスピーカを内蔵し、警報音や音声メッセージを出力できるようにしている。
【００４５】
また本体１４の裏側上部には、略中央部に挿通孔を有する取付フック１５が設けられており、設置する部屋の壁にビスなどをねじ込み、この取付フック１５の挿通孔をビスに通して引っかけることで、手の届く位置にマスタ発信機１０を所謂壁掛け状に固定設置することができる。
【００４６】
カバー１２の右側には通報スイッチ１８（１８ａ〜１８ｅ）が配置されている。通報スイッチ１８は日常的な通報内容を送信する通報先の住警器を選択して、選択した住警器への通報イベント信号送信を実行させるものである。通報スイッチ１８ａ〜１８ｅには、住警器割当番号１〜５が印刷等により表示されている。ここでは例えば図１に示した居間、子供部屋、寝室、階段室の住警器１００にそれぞれ番号１〜５を割り当てている。
【００４７】
なお、通報スイッチ１８ａ〜１８ｅに対して割り当てられた通報先住警器の表示は、通報スイッチ１８ａ〜１８ｅの横に居間、子供部屋、寝室、階段室といったラベルを貼っても良い。また通報スイッチの最大数は必要に応じて更に増やすことができる。
【００４８】
また例えば他のスイッチを１つ追加して、このスイッチと各通報スイッチのコンビネーション操作（例えば同時押圧や順次押圧）で、第２の割当番号を選択できるようにしても良い。具体的には、追加されたスイッチと通報スイッチ１８ａを同時に押圧操作すると、割当番号１ではなく割当番号６の住警器１００を選択して通報イベント信号を送信することができるようにしても良い。
【００４９】
カバー１２の左側には種別スイッチ１９（１９ａ〜１９ｄ）が配置される。種別スイッチ１９は日常的な通報内容を選択操作するものである。本実施形態にあっては、日常的な通報内容として例えば、食事呼出、風呂呼出、起床呼出、就寝呼出などが予め準備されており、選択操作した種別スイッチ１９ａ〜１９ｄに割り当てられた上記各通報メッセージを通報先の住警器から出力させることができる。
【００５０】
例えば種別スイッチ１９ａに食事呼出を設定していたとすると、種別スイッチ１９ａを操作することで、通報スイッチ１８で選択する通報先の住警器から例えば「ピンポーン  ごはんですよ」といった通報メッセージを出力させることができる。なお、種別スイッチの最大数は必要に応じて更に増やすことができる。また通報スイッチ同様に、コンビネーション操作等によって選択数（種別数）を増やすこともできる。
【００５１】
図３は図１に示した無線式発信機１１の外観を示した説明図であり、図３（Ａ）に正面図を、図３（Ｂ）に側面図を示しており、図２のマスタ発信機１０に設けている通報スイッチ１８と種別スイッチ１９を取り除いたものとなっている。
【００５２】
図４は本発明による無線式の住警器１００の外観を示した説明図であり、図４（Ａ）に正面図を、図４（Ｂ）に側面図を示している。
【００５３】
図４において、本実施形態の住警器１００の筐体はカバー１１２と本体１１４で構成されている。カバー１１２の中央に突出部を設け、その周囲に複数の煙流入口を開口し、更にその内部には検煙部１１６が配置され、例えば火災による煙が所定濃度に達したときに火災を検出（検知）するようにしている。
【００５４】
カバー１１２に設けた複数の開口部の内部には検煙部１１６を備え、検煙部１１６の左下側には複数の音響孔１１８が設けられ、この背後（内部側）にブザーやスピーカを内蔵し、警報音や音声メッセージを出力できるようにしている。検煙部１１６の下側には警報停止スイッチ１２０が設けられている。
【００５５】
警報停止スイッチ１２０はその操作により住警器１００の機能自己点検を指示（要求）する点検指示スイッチとしての機能を兼ねている。たとえば、火災警報出力中に警報停止スイッチ１２０が操作されると当該警報出力を停止し、通常状態（少なくとも、火災警報出力中でない状態）で警報停止スイッチ１２０が操作されると、機能の自己点検を実施して結果を報知する。
【００５６】
警報停止スイッチ１２０は、半透明部材で形成されたスイッチカバーと、スイッチカバーの内部に配置されたタクトスイッチ（図示せず）とで構成されている。即ち、スイッチカバーを押圧操作すると、タクトスイッチが押圧されるようになっている。スイッチカバー内部のタクトスイッチ近傍には、点線で示すように警報等表示を行うＬＥＤ１２２が配置されており、ＬＥＤ１２２が点灯、点滅、明滅作動すると、作動光が警報停止スイッチ１２０のスイッチカバーの部分を透過して外部から視認できるようにしている。
【００５７】
また本体１１４の裏側上部には、略中央部に挿通孔を有する取付フック１１５が設けられており、設置する部屋の壁にビスなどをねじ込み、この取付フック１１５の挿通孔をビスに通して引っかけることで、壁面に住警器１００を所謂壁掛け状に固定設置することができる。
【００５８】
なお図４の住警器１００にあっては、検煙部１１６を備え、火災に伴う煙を検出する住警器を例に取っているが、これ以外に火災に伴う熱を検出するサーミスタ等の温度検出素子を備えた住警器や、火災に伴うその他の現象を検出する住警器、火災以外にガス漏れを検出する警報器、侵入者や地震その他の異常（異状）を検出する各種の警報器、これらを組み合わせて成る警報器等についても、本発明の対象に含まれる。
【００５９】
図５は図１の警報システムに設けた本発明によるマスタ発信機の実施形態を示したブロック図である。これは一例であり、各機能の分離、統合は任意に行うことができる、また各機能の実行は、ソフトウェア（プログラム）によって実行されるものであってもハードウェアによって実行されるものであっても良い。
【００６０】
マスタ発信機１０はワンチップＣＰＵとして知られたプロセッサ２８を備え、プロセッサ２８に対してはアンテナ３１を備えた無線通信部３０、記録回路部（メモリ）３２、報知部３４、操作部３６及び電池電源４０を設けている。
【００６１】
無線通信部３０には送信回路４２と受信回路４４が設けられ、住警器１００との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００６２】
もちろん無線通信部３０としては、日本国内以外の場所に向けたものでは、その地域の割当無線局の標準規格に準拠した内容を持つことになる。
【００６３】
記憶部としてのメモリ３２には、イベント信号の順番を示す連続番号である連番４８、各マスタ発信機、発信機および住警器（以下、三者を総称する場合は「端末」という）を特定するＩＤ（自己の識別子）となる送信元符号５０、図１のように設置した住警器１００で連動警報を行う連動グループを構成するためのグループ符号５２が格納されている。後述するが、連動グループには発信機１１、住警器１００を含み、これらについても住警器マスタ発信機１０同様に設定される。
【００６４】
連番４８は各端末の、特に無線通信に於いてイベント信号の処理順等を管理するためのものであるが、本発明に直接関係しないので詳細な説明を省略する。
【００６５】
送信元符号５０としては、国内に提供される何れの端末とも同一符号として重複しないように、例えば２６ビット程度の充分な多符号コードとし、各端末のシリアル番号等を利用している。
【００６６】
グループ符号５２は連動グループを構成する各端末に共通に設定される符号であり、マスタ発信機１０から送信する非常通報イベント信号や通報イベント信号に付加される。また無線通信部３０で受信した各イベント信号に含まれるグループ符号が、メモリ３２に登録しているグループ符号５２に一致したときに、このイベント信号を有効な信号として処理することになるので、例えば近隣の住宅等に設置された、連動を要しない他のグループに属する端末との不要な連動を回避できる。
【００６７】
なお、受信したイベント信号は必要に応じ、或いは設定状態に応じ中継送信されるが、このような中継機能を省略することもできる。
【００６８】
グループ符号５２は各端末について必ずしも同一の符号である必要は無く、これを元に演算等を行うことによって自己が属するグループと他の端末が属するグループが同じか否かを判定できるものであれば良い。
【００６９】
グループ符号の設定や変更は、出荷前や設置時、運用途中に適宜の方法で行うことができる。
【００７０】
報知部３４には警報音等を出力するスピーカ５６と発信機灯として機能するＬＥＤ１７が設けられている。スピーカ５６は、図示しない音声合成回路部から、自己が保持しているデータに基づいて各種の音声メッセージや警報音等を、図示しない増幅部を介して出力する。ＬＥＤ１７は点滅や明滅、点灯などにより、非常通報の送信、確認、その他を表示する。スピーカ５６に代えて、ブザー等を用いても良い。
【００７１】
操作部３６には非常押釦１６と試験スイッチ３８が設けられている。非常押釦１６は非常通報の動作指示（要求）スイッチとして機能するが、非常通報を示すイベント信号を送信して住警器１００で連動警報動作が行われている場合に、例えば長押等の押分操作（特殊操作）を行うと、自己が警報を出力している場合には当該警報出力を停止し、また警報停止を示すイベント信号を送信して住警器１００の警報動作を停止させる（警報停止処理）。もちろん、このような押分によらず、通常操作によって警報停止処理を行わせるようにしても良い。
【００７２】
試験スイッチ３８は例えば本体１４の側面に配置されたスライドスイッチであり（図２では図示せず）、試験スイッチ３８を操作すると非常通報試験を示すイベント信号が住警器１００等他の端末に送信され、住警器１００等他の端末から非常通報の試験報知音を出力させる。
【００７３】
また操作部３８には通報スイッチ１８と種別スイッチ１９が設けられ、具体的には図２に示したように、通報スイッチ１８ａ〜１８ｅと種別スイッチ１９ａ〜１９ｄを備えている。
【００７４】
電池電源４０は、例えば所定セル数のリチウム電池やアルカリ乾電池を使用しており、電池容量としては非常通報のために必要充分に長い動作期間を保証している。電池電源に代えて商用ＡＣ電源や他の専用電源としても良く、この場合は、発信機灯としてのＬＥＤ１７を常時点灯として設置していても、遠方から設置場所が視認できる。
【００７５】
プロセッサ２８にはプログラムの実行により実現される機能として、イベント検出部５８、送信処理部６０、受信処理部６２、発信制御部６４及び通報制御部６６が設けられている。
【００７６】
イベント検出部５８は、操作部３６の非常押釦１６による非常通報指示（要求）入力、受信処理部６２を介して得られた他の端末からのイベント信号の解読結果からイベント内容を検出する。
【００７７】
送信処理部６０は、発信制御部６４の指示に基づき無線通信部３０からアンテナ３１を介して他の端末へ非常通報イベント信号を送信する。受信処理部６２は、の端末からのイベント信号を、アンテナ３１および無線通信部３０を介して受信し解読する。
【００７８】
発信制御部６４は、イベント検出部５８により自己の非常押釦１６の操作による非常通報指示（要求）の入力イベントを検出した場合に、非常通報イベント信号を生成し、送信処理部６０により他の端末へ送信させる。
【００７９】
また、発信制御部６４は、ベント検出部５８により非常押釦１６の操作を検出した場合に、発信機灯として機能するＬＥＤ１７をパターンで作動させ、スイッチ操作が受け付けられて非常通報イベント信号が送信されたことを報知する。このとき報知部３４のスピーカ５６から非常押釦１６の操作音を出力させても良い。
【００８０】
また、発信制御部６４は、ＬＥＤ１７を作動させた状態で、イベント検出部５８により住警器１００から送信される確認応答イベント信号の受信イベントを検出した場合、ＬＥＤ１７の作動を停止して、その後所定時間点灯させて（切替点灯）、通報完了を報知する。この通報完了の報知は、ＬＥＤ１７の切替点灯と共にスピーカ５６から通報完了を示す例えば「非常通報を完了しました」といった報知音を出力させても良い。
【００８１】
なお、住警器１００が非常通報イベント信号を中継送信する場合、この中継送信された非常通報イベント信号を確認応答イベント信号としても良い。
【００８２】
また、発信制御部６４は、イベント検出部５８で非常押釦１６の長押操作を検出した場合、警報停止を示すイベント信号を生成して送信処理部６０により他の端末へ送信させ、非常通報イベント信号受信で住警器１００はじめ他の端末から出力されている異常発生警報を停止させる。
【００８３】
なお、非常通報に伴う異常発生警報の出力は、他のマスタ発信機１０や発信機１１では行わず、住警器１００でのみ行うようにしても良い。
【００８４】
また、発信制御部６４は、イベント検出部５８で試験スイッチ３８の操作を検出した場合、非常通報試験を示すイベント信号（非常通報試験イベント信号）を生成して送信処理部６０により他の端末へ送信させ、他の端末で非常通報受信による異常発生警報の試験警報動作を行わせる。他の端末における試験警報動作は、例えばスピーカ５６から「ピッピッ 発信機の試験が行われました」といった音声メッセージを出力すると共に表示ＬＥＤ１７を例えば所定時間点灯させる。
【００８５】
また、発信制御部６４は、イベント検出部５８で他の端末からの火災イベント信号受信（中継送信された火災イベント信号受信を含む）を検出した場合に、報知部３４のスピーカ５６から火災を示す警報音例えば「ウーウー 火事です 火事です」を繰り返し出力させると共に、報知部３４のＬＥＤ１７を例えば点灯させるようにしても良い。なお、火災イベント信号受信に基づく報知部３４の、少なくともスピーカ５６による警報動作は、マスタ発信機１０を住警器１００に近接した場所（例えば同じ部屋）に設置する場合には不要であることから、操作部３６に設けたディップスイッチ等（図示省略）により、火災警報動作の禁止モードを設定しておくようにすることもできる。
【００８６】
このようにすれば、同じ場所に設置された住警器１００とマスタ発信機１０とで火災警報の音声出力が重複することを回避できる。これについては、発信機１１と住警器１００が近隣設置される場合の発信機１１についても同様となる。このような場合のマスタ発信機１０や発信機１１は、住警器１００から受信したイベント信号を中継送信する必要も無い。
【００８７】
また、発信制御部６４は、イベント検出部５８によるローバッテリー障害検出により警報する。イベント検出部５８によるローバッテリー障害の検出は、図示しない電圧検出回路からの信号を、所定の測定時間間隔、例えばＴ１＝４時間間隔で電池電源４０から供給される電源電圧をＡ／Ｄ変換により読み込んで所定の閾値電圧と比較し、この閾値電圧以下の時にローバッテリー障害と仮判定し、更にローバッテリー障害との仮判定が連続して所定回数続いた場合にローバッテリー障害を判定（確定）し、報知部３４のスピーカ５６からの警報音出力とＬＥＤ１７の表示出力によりローバッテリー障害警報を出力させる。ローバッテリー障害状態にあっても、マスタ発信機１０は所定の動作を継続するようにしており、したがってこのローバッテリー障害警報は、電池切れによる動作停止の予告報知となる。
【００８８】
ローバッテリー障害の警報音としてたとえば「ピッ  電池切れです」を所定回数繰り返し出力すると共にＬＥＤ１７を例えば所定期間点滅し、その後は、一定時間毎に「ピッ  電池切れです」の音声出力（１回）とＬＥＤ１７による表示出力（ワンパルス点灯）を行う処理を繰り返す。
【００８９】
また、発信制御部６４は、イベント検出部５８でローバッテリー障害を検出（確定）した場合、ローバッテリー障害を示すイベント信号（以下、ローバッテリーイベント信号）を他の端末へ送信してローバッテリー障害警報を警報音および／または表示で行わせるようにしても良い。
【００９０】
このとき、ローバッテリー障害が発生しているマスタ発信機１０（信号送信元）と他の端末（信号送信先）では異なる警報音および／または表示内容とする。これによりユーザはローバッテリー障害が発生しているマスタ発信機１０を識別特定して電池交換などの対応を適切に行うことができる。
【００９１】
その他、スピーカ５６への出力線の断線や他の回路故障、通信異常等を同様に障害監視することができる。これらの処理は、後に説明する住警器１００の場合と同様に行う。ただし、以下では説明を簡単にするためマスタ発信機１０での障害およびその復旧は、住警器１００では連動処理されないこととする。
【００９２】
通報制御部６６は、イベント検出部５８で種別スイッチ１９のいずれかの操作による通報内容及び通報スイッチ１８のいずれかの操作による通報先警報器の指定を検出した場合に、通報内容及び通報先警報器を示すイベント信号（通報イベント信号）を送信処理部６０により送信して通報先の住警器１００の報知部から選択した通報内容を報知させる。もちろん、通報先として住警器１００以外に他のマスタ発信機１０や発信機１１を選択指定可能とし、これらを通報先とする通報イベント信号を送信させて、通報先端末の報知部から報知させるようにしても良い。
【００９３】
図６はマスタ発信機１０から他の端末へ送信される通報イベント信号に設定する通報内容を示すイベント符号と通報メッセージ（報知音声）の一覧を示している。図６はインデックスとなる項番Ａ〜Ｄに対応して４ビットのイベント符号１００１〜１１００が設定され、イベント符号１００１は食事呼出で、通報メッセージは「ピンポーン  ごはんですよ」とし、イベント符号１０１０は風呂呼出で、通報メッセージは「ピンポーン  お風呂ですよ」とし、イベント符号１０１１は起床呼出で、通報メッセージは「ピンポーン  起きてください」とし、イベント符号１１００は就寝呼出で、通報メッセージは「ピンポーン  おやすみなさい」としている。これらの各情報は、例えば図示しない記憶部に予め記憶されており、必要に応じ読み出されて処理される。
【００９４】
再び図５を参照するに、通報制御部６６は、ベント検出部５８により種別スイッチ１９及び通報スイッチ１８それぞれの操作による通報内容と通報先の選択を検出した場合に、発信機灯として機能するＬＥＤ１７を点滅又は明滅させ、スイッチ操作が受け付けられて通報内容を示すイベント信号が通報先に送信されたことを報知する。このとき報知部３４のスピーカ５６からスイッチ操作音を出力させても良い。
【００９５】
また、通報制御部６６は、このようにＬＥＤ１７が点滅又は明滅している状態で、イベント検出部５８により住警器１００からの確認応答イベント信号を検出した場合、通報内容を示すイベント信号が通報先の住警器１００で受信されて通報内容が出力されたことを判定し、ＬＥＤ１７の点滅又は明滅を停止した後所定時間点灯させ（切替点灯）、通報完了を報知する。この通報完了の報知は、ＬＥＤ１７の切替点灯と共にスピーカ５６から通報完了を示す例えば「通報を完了しました」といった報知音を出力させても良い。
【００９６】
或いは、通報制御部６６は、ＬＥＤ１７が点滅又は明滅している状態で所定時間が経過した場合、通報イベント信号が通報先の住警器１００で受信されて通報内容が出力されたとみなし、ＬＥＤ１７の点滅又は明滅を停止して点灯に切り替え、通報完了を報知しても良い。
【００９７】
なお、確認応答イベント信号は少なくとも何れか１台の住警器１００から受信されれば良く、この受信に基づいて処理を行った後に他の住警器から送信される確認応答イベント信号を受信した場合は、無視して処理しないようにしても良い。
【００９８】
図７は図１の警報システムに設けた発信機１１の実施形態を示したブロック図である。発信機１１は日常的な通報機能を持たないため、図５のマスタ発信機１０の操作部３６に設けた通報スイッチ１８と種別スイッチ１９を取り除き、また、プロセッサ２８に設けている通報制御部６６の機能を取り除いている。それ以外の点は図５のマスタ発信機１０と同じになることから、同一符号で示している。メモリ３２に記憶する送信元符号５０としては、発信機１１のシリアル番号等を利用する。
【００９９】
図８は図１の警報システムに設けた住警器の実施形態を示したブロック図である。これは一例であり、各機能の分離、統合は任意に行うことができる、また各機能の実行は、ソフトウェア（プログラム）によって実行されるものであってもハードウェアによって実行されるものであっても良い。
【０１００】
図８において、住警器１００はワンチップＣＰＵとして知られたプロセッサ１２８を備え、プロセッサ１２８に対してはアンテナ１３１を備えた無線通信部１３０、記録回路部（メモリ）１３２、センサ部１３４、報知部１３６、操作部１３８及び電池電源１４０を設けている。
【０１０１】
無線通信部１３０には図５のマスタ発信機１０の無線通信部３０に設けた送信回路４２、受信回路４４と同様の送信回路１４２及び受信回路１４４が設けられ、他の端末との間でイベント信号を無線により送受信できるようにしている。
【０１０２】
無線通信部１３０及びメモリ１３２の記憶情報は、図５のマスタ発信機１０のメモリ３２の各記憶情報と同様である。ここで送信元符号５０としては、住警器１００のシリアル番号等を利用する。
【０１０３】
センサ部１３４には、煙を検出して信号を出力する検煙部１１６を設けている。前述のように、センサ部１３４には検煙部１１６に代えて、温度や温度上昇を検出する素子や、火災に伴うその他の現象を検出する各種素子を設けても良い。
【０１０４】
報知部１３６には警報音等を出力するスピーカ１５６と警報等表示等を行うＬＥＤ１２２が設けられている。スピーカ１５６は、図示しない音声合成回路部から、自己が保持しているデータに基づき、各種の音声メッセージや警報音等を、図示しない増幅部を介して出力する。ＬＥＤ１２２は点滅や明滅、点灯などにより、火災などの異常（異状）その他を表示する。スピーカ１５６に代えて、ブザー等を用いても良い。またＬＥＤ１２２に代え、２色ＬＥＤや液晶表示器等を設けても良い。もちろん、ＬＥＤと液晶表示器を併設するなどしても良い。
【０１０５】
操作部１３８には警報停止スイッチ１２０が設けられている。警報停止スイッチ１２０は、報知部１３６のスピーカ１５６から火災や障害の警報音を出力しているとき又はＬＥＤ１２２により警報表示を行っているときにのみ警報停止スイッチとして機能する。例えば連動元を示す警報中に警報停止スイッチ１２０を操作すると、警報音及び警報表示は停止され、一方、連動先を示す警報出力中に警報停止スイッチ１２０を操作すると、警報音を停止し、警報表示を停止または警報音停止から所定時間後に停止するといった警報停止処理が行われる。
【０１０６】
一方、少なくとも連動元または連動先を示す警報を出力していない通常監視状態においては、警報停止スイッチ１２０は点検指示（要求）スイッチとして機能し、この状態で警報停止スイッチ１２０を操作すると、所定の自己点検動作が実行されて報知部１３６のスピーカ１５６から点検結果を示す音声メッセージなどが出力される。
【０１０７】
なお、障害警報出力中に警報停止スイッチ１２０が操作された場合には、所定の自己点検動作を実施して結果を報知した後に障害警報停止処理を行うようにしても良い。このようにすれば、例えば点検動作によりセンサ故障等を再チェックした後に障害警報停止処理が行われるので、利用者に対し、故障等の障害状態をより明確に認知させることができる。そして、このとき障害状態が解消している場合には、例えば「障害は解消しました」等のメッセージを出力して、障害停止処理に移行しても良い。なお、本発明の警報システムにおいては、このような障害警報停止や点検についても端末間で適宜連動させることができるが、ここでは説明を省略する。
【０１０８】
電池電源１４０は、例えば所定セル数のリチウム電池やアルカリ乾電池を使用しており、電池容量としては住警器１００における無線通信部１３０を含む回路部全体の低消費電力化により、例えば１０年の電池寿命を保証している。ここで、マスタ発信機１０からの通知イベント信号受信やそれに伴う通知（報知）動作に要する消費電力を考慮し、別に増設電源等を設けても良い。
【０１０９】
プロセッサ１２８にはプログラムの実行により実現される機能として、イベント検出部１５８、送信処理部１６０、受信処理部１６２、警報処理部１６４が設けられている。
【０１１０】
イベント検出部１５８は、センサ部１３４による異常（ここでは火災）検出、操作部１３８による警報停止指示（要求）入力や点検指示（要求）入力、センサ部１３４の異常検出がなくなる異常復旧等のイベントを検出する。またイベント検出部１５８はアンテナ３１、受信回路１４４および受信処理部１６２を介して他の端末から受信したイベント信号の解読結果として得られたイベント内容を検出する。
【０１１１】
送信処理部１６０は、イベント検出部１５８でセンサ部１３４による異常検出、操作部１３８による各指示（要求）入力、センサ部１３４の異常検出がなくなる異常復旧等の自己のイベントを検出した場合に、検出イベント内容を示すイベント信号を、無線通信部１３０の送信回路１４２を介してアンテナ１３１から連動先となる他の住警器１００やマスタ発信機１０へ送信させる。また、送信処理部１６０はイベント検出部１５８で端末からのイベント信号を検出した場合、必要に応じ又は自己の設定状態に応じてこれを中継送信する。受信処理部１６２は、アンテナ１３１、受信回路１４４を介して受信した他の端末からのイベント信号を解読する。
【０１１２】
警報処理部１６４は、イベント検出部１５８で自己の異常として火災を検出した場合に報知部１３６のスピーカ１５６から連動元を示す警報音を出力させると共に、ＬＥＤ１２２を駆動して連動元を示す警報表示を行い、更に、火災イベント信号を他の端末に送信する。
【０１１３】
具体的に説明すると、警報処理部１６４は、センサ部１３４に設けた検煙部１１６の煙検出信号に基づきイベント検出部１５８で火災を検出した場合に、報知部１３６のスピーカ１５６から連動元を示す警報音例えば「ウーウー 火事です 火事です」を繰り返し出力させると共に、ＬＥＤ１２２を例えば点灯して連動元を示す警報表示を行い、更に、送信処理部１６０を介して無線通信部１３０の送信回路１４２によりアンテナ１３１から火災イベント信号を他の端末に向けて送信させる。
【０１１４】
また、警報処理部１６４は、無線通信部１３０の受信回路１４４により他の住警器１００から（或いは中継送信により他の端末から）火災イベント信号を受信し、受信処理部１６２でグループ符号の照合等を行い有効となった場合に、報知部１３６のスピーカ１５６から連動先を示す警報音例えば「ウーウー  別の火災警報器が作動しました  確認してください」となる警報音を繰り返し出力させ、同時にＬＥＤ１２２を例えば点滅して連動先を示す警報表示を行う。
【０１１５】
また、警報処理部１６４は、無線通信部１３０の受信回路１４４によりマスタ発信機１０から（或いは中継送信により他の端末から）非常通報を示すイベント信号を受信し、受信処理部１６２でグループ符号の照合等を行い有効となった場合に、報知部１３６のスピーカ１５６から非常通報を示す警報音例えば「「ウーウー  発信機が作動しました  確認してください」となる警報音を繰り返し出力させ、同時にＬＥＤ１２２を例えば点滅して異常発生を示す警報表示を行う。
【０１１６】
また、警報処理部１６４は、無線通信部１３０の受信回路１４４によりマスタ発信機１０から（或いは中継送信により他の端末から）非常通報試験を示すイベント信号を受信し、受信処理部１６２でグループ符号の照合等を行い有効となったときに、報知部１３６のスピーカ１５６から非常通報試験を示す警報音例えば「「ピッピッ 発信機の試験動作が行われました」となる警報音を繰り返し出力させ、同時にＬＥＤ１２２を例えば点滅して試験動作を示す警報表示を行う。
【０１１７】
また、警報処理部１６４は、無線通信部１３０の受信回路１４４によりマスタ発信機１０から（或いは中継送信により他の端末から）図６に示したイベント符号による通報内容を示すイベント信号（通報イベント信号）を受信し、受信処理部１６２でグループ符号の照合等を行い有効となった場合に、報知部１３６のスピーカ１５６からイベント符号に対応した通報メッセージを出力させると共にＬＥＤ１２２を例えば点滅して通報表示を行う。
【０１１８】
ここで、イベント検出部１５８はセンサ障害とローバッテリー障害を検出する。センサ障害の検出は、所定の測定時間間隔、例えばＴ２＝１秒間隔でセンサ部１３４の検煙部１１６から出力される煙検出信号をＡ／Ｄ変換により読み込んでメモリ１３２のバッファ領域に保持し、例えば所定の時間間隔Ｔ３＝１０分毎に、メモリ１３２のバッファ領域に保持している１０分間ぶんの検出データの平均値を求め、この平均値が所定の基準レベル（零点レベルという）を下回った時に検出信号出力停止状態である等としてセンサ部１３４の障害と判定する。
【０１１９】
このように煙濃度検出信号の１０分間平均値が零点レベルを下回る原因は、検煙部１１６に設けている受光素子故障や受光素子からの配線断線、受光アンプ停止などの障害が発生したことによるものである可能性が高いため、障害（センサ障害と総称する）とする。なお、センサ部１３４にサーミスタなどの温度検出素子を設けた場合にも、各種の処理により、同様にセンサ障害を検出することができる。その他、スピーカ１５６への出力線の断線や他の回路故障や通信異状等を同様に障害監視することができる。このような障害についても、検出後はセンサ障害と同様の処理を行う。
【０１２０】
ローバッテリー障害の検出とその処理については、図５のマスタ発信機１０と同様に行う。
【０１２１】
警報処理部１６４は、イベント検出部１５８でセンサ障害又はローバッテリー障害を検出した場合に、報知部１３６のスピーカ１５６からの警報音および／またはＬＥＤ１２２の表示により連動元を示すセンサ障害又はローバッテリー障害警報を出力させる。住警器１００はローバッテリー警報出力状態であっても所定の機能を引き続き実行可能であり、従ってローバッテリー障害警報は、電池切れにより間もなく動作停止に至ることを予告報知するものとなる。
【０１２２】
また警報処理部１６４は、センサ障害又はローバッテリー障害イベント信号を他の住警器１００端末に送信して連動先を示すセンサ障害又はローバッテリー障害警報を警報音および／または表示で行わせる。なお、これら障害についてはマスタ発信機１０や発信機１１との相互連動を行わないようにしても良い。
【０１２３】
更に警報処理部１６４は、アンテナ１３１、受信回路１４４および受信処理部１６２を介して他の端末の何れかからセンサ障害（住警器のみ）又はローバッテリー障害イベント信号を受信し有効となった場合に、報知部１３６のスピーカ１５６からの警報音と、ＬＥＤ１２２の表示とにより連動先を示すセンサ障害又はローバッテリー障害警報を出力させる。
【０１２４】
警報処理部１６４は、イベント検出部１５８でセンサ障害を検出した場合、報知部１３６のスピーカ１５６から連動元（障害元）を示すセンサ障害の警報音として例えば「ピッ  故障です」を所定回数繰り返して出力すると共にＬＥＤ１２２を例えば点滅し、その後は一定時間毎に「ピッ  故障です」の音声出力（１回）とＬＥＤ１２２による表示出力（ワンパルス点灯）を行う処理を繰り返す。
【０１２５】
また警報処理部１６４は、送信処理部１６０および送信回路１４２を介してアンテナ１３１からセンサ障害を示すイベント信号（センサ障害イベント信号）を他の端末に送信することで、連動先を示すセンサ障害警報を報知出力させる。このとき、連動先の端末では警報音として例えば「ピッ  別の警報器が故障です」や「ピッ  警報器が故障です」といったメッセージが出力されると共に連動元とは異なる点滅表示が行われる。
【０１２６】
また警報処理部１６４は、イベント検出部１５８でローバッテリー障害を検出した場合、報知部１３６のスピーカ１５６から連動元（障害元）を示すローバッテリー障害の警報音としてたとえば「ピッ  電池切れです」といったメッセージを所定回数繰り返して出力すると共にＬＥＤ１２２を例えば点滅し、その後は、一定時間毎に「ピッ  電池切れです」といったメッセージ出力（１回）とＬＥ１Ｄ２２による表示出力（ワンパルス点灯）を行う処理を繰り返す。
【０１２７】
また警報処理部１６４は、ローバッテリー障害を示すイベント信号（ローバッテリー障害イベント信号）を他の端末に送信することで、連動先の端末に連動先を示すローバッテリー障害警報、例えば警報音として「ピッ  別の警報器が電池切れです」や「ピッ  警報器が電池切れです」といったメッセージを出力させると共に連動元とは異なる点滅表示を行わせる。
【０１２８】
また警報処理部１６４は連動元を示す火災警報または連動先を示す火災警報音の出力中にイベント検出部１５８で自己の警報停止スイッチ１２０の操作を検出した場合、又は他の住警器１００の何れかからの警報停止を示すイベント信号（警報停止イベント信号）受信（任意の端末で中継送信されたものを含む）を検出した場合、スピーカ１５６からの音声メッセージとＬＥＤ１２２の警報表示による火災警報の出力を停止する。このとき、ＬＥＤ１２２による警報表示については、音声メッセージ出力停止後所定時間継続した後に停止しても良い。なお、連動元を示す火災警報中には、警報停止イベント信号受信があった場合は、少なくとも警報音の出力は継続させるようにしても良い。
【０１２９】
更に警報処理部１６４は、連動元を示すセンサ障害又はローバッテリー障害警報の出力中にイベント検出部１５８で自己の操作部１３８に設けた警報停止スイッチ１２０の警報停止操作を検出した場合、自己の連動元を示す警報音を停止すると共に障害表示を停止し、更に連動先を示す障害警報出力中の他の端末に警報停止イベント信号を送信して、障害警報音と障害表示を停止させる。
【０１３０】
図９は本実施形態で端末間の連動に使用するイベント信号のフォーマットを示した説明図である。図９において、イベント信号４６は連番４８、送信元符号５０、グループ符号５２及びイベント符号５４で構成され、更に日常的な通報内容と通報先を示すイベント信号の場合は、点線で示す通報先符号５５と、通報内容を示す通報イベント符号５７（図６）が付加される。連番４８はイベント信号の順番を示す連続番号であり、イベント信号を送信する毎に１つずつ増加させる。また、連番４８は非同期で端末毎に都度生成している。連番４８は各端末間の、主に無線通信に於いてイベント信号の処理順等を管理するためのものであるが、本発明に直接関係しないので詳細な説明を省略する。
【０１３１】
送信元符号５０は例えば２６ビットの符号であり、各端末のシリアル番号等を利用している。グループ符号５２は例えば８ビットの符号であり、同一グループを構成する例えば図１の各マスタ発信機１０と住警器１００につき同じグループ符号が設定されている。
【０１３２】
なおグループ符号５２としては、同一グループの各端末に同一のグループ符号を設定する以外に、例えば予め定めたグループを構成する各端末に共通な基準符号と各住警器に固有な送信元符号との演算から求めた、住警器ごとに異なるグループ符号であっても良い。
【０１３３】
イベント符号５４は、火災、非常通報などのイベント内容を表す符号であり、本実施形態にあっては４ビット符号を使用しており、例えば
０００１＝火災
００１０＝通報（通知・連絡）
００１１＝非常通報
０１００＝警報停止
０１０１＝復旧（火災復旧・障害復旧）
０１１０＝センサ障害
０１１１＝ローバッテリー障害
１０００＝非常通報試験
としている。ここで、００００はイベント検出を伴わない、例えば定期通報に使用する。なお、図９では確認応答を示す確認応答イベント符号は省略している。
【０１３４】
更に通報イベント符号５７には図６に示したように、日常的な管理内容を示す符号を例えば
１００１＝食事管理呼出
１０１０＝風呂管理呼出
１０１１＝起床管理呼出
１１００＝就寝管理呼出
としている。
【０１３５】
即ち、通報イベント信号には、イベント符号５４として通報を示す「００１０」が設定され、通報イベント符号５７にその通報内容、例えば食事呼出通報であれば「１００１」が設定され、更に通報先符号５５として、通報を行わせる住警器１００のアドレス（当該住警器の送信元符号、例えばシリアル番号等を用いても良い）が設定されることになる。
【０１３６】
なおイベント符号５４のビット数は５ビット、６ビットと増加させることで、更に多くのイベント内容を表すことができる。例えば、復旧のイベント符号は火災復旧と障害復旧に分けても良い。
【０１３７】
また、火災以外の異常を検出する警報器では、上記イベント符号５４の０００１を検出対象となる異常イベントに置き換えても良いし、検出対象となる異常イベントの種類を、例えば上記に追加しても良い。このようにして、同じグループ内に、例えば検出対象とする異常種別の異なる警報器を混在させることもできる。
【０１３８】
図１０及び図１１は図５のマスタ発信機１０における発信機処理の例を示したフローチャートである。
【０１３９】
なお、以下で各イベント信号の「受信有り」とは、共通符号の照合等によってイベント信号が有効と判定されたことまでを含んでいる。また、イベント信号中継送信の処理は省略している。
【０１４０】
図１０において、マスタ発信機１０の電池電源４０による電源供給が開始されると、ステップＳ１で初期化、自己診断を実行し、異常がなければステップＳ２に進み、非常押釦１６の操作検出有無を判別している。
【０１４１】
ステップＳ２で非常押釦１６の操作検出有りを判別するとステップＳ３に進み、非常通報イベント信号を送信し、ステップＳ４でＬＥＤ１７を点滅して非常通報が行われたことを報知する。
【０１４２】
続いてステップＳ５において、ステップＳ３で送信した非常通報イベント信号に対する住警器１００からの非常通報確認応答イベント信号（他で中継送信されたものを含む）の有無を判別しており、受信有りを判別するとステップＳ６に進み、ＬＥＤ１７の点滅を停止して点灯に切替え、非常通報完了を表示し、更にステップＳ７で非常通報完了を示す報知音をスピーカ５６から出力する。なお、点灯に切り替わったＬＥＤ１７は所定時間後に消灯する（図示省略）。
【０１４３】
続いてステップＳ８で非常押釦１６の長押操作検出の有無を判別しており、長押操作検出有りを判別するとステップＳ９に進み、警報停止イベント信号を送信し、他の端末で出力している非常通報に基づく異常発生警報を停止させる。
【０１４４】
この警報停止イベント信号の送信に伴い、ステップＳ３〜Ｓ６の場合と同様の処理を行う（ステップＳ９〜ステップＳ１２）。なお、非常通報の警報停止についてはステップＳ１０〜Ｓ１３の処理は省略しても良い。
【０１４５】
続いてステップＳ１４で試験スイッチ３８の操作検出の有無を判別しており、試験スイッチ３８の操作検出有りを判別するとステップＳ１５に進んで非常通報試験イベント信号を送信して他の端末に異常発生警報の試験動作を行わせる。なお、他の端末から非常通報試験イベント信号（中継送信されたものを含む）の受信有りを検出した場合には試験動作を行うが、図示を省略している。
【０１４６】
続いて図１１のステップＳ１６に進み、種別スイッチの操作検出有無を判別しており、操作検出有りを判別するとステップＳ１７に進み、操作されたスイッチに割り当てられた種別に対応するイベント符号を取得する。続いてステップＳ１８で通報スイッチの操作検出有無を判別しており、操作検出有りを判別するとステップＳ１９に進み、通報先の住警器送信元符号を取得する。続いてステップＳ２０に進み、ステップＳ１７で取得したイベント符号とステップＳ１９で取得した通報先符号を含む通報イベント信号を生成して送信する。
【０１４７】
ステップＳ２０で通報イベント信号を送信すると、ステップＳ２１でＬＥＤ１７を点滅して通報が行われたことを報知する。続いてステップＳ２２において、ステップＳ２０で送信した通報イベント信号に対する確認応答イベント信号（中継送信されたものを含む）受信の有無を判別しており、受信有りを判別するとステップＳ２３に進み、ＬＥＤ１７の点滅を停止して点灯に切替えて通報完了を表示し、更にステップＳ２４で通報完了を示す報知音をスピーカ５６から出力する。なお、点灯に切り替わったＬＥＤ１７は所定時間後に消灯する（図示省略）。
【０１４８】
なお、図７では自己の障害（回路障害、通信部障害、ローバッテリー障害）や障害復旧が検出された場合の処理についても図示を省略しているが、適宜次のような処理を挿入すれば良い。
【０１４９】
即ち、障害検出が判定された場合にはスピーカ５６からの警報音およびＬＥＤ１７の表示で警報すると共に障害イベント信号を送信し、また障害復旧が検出された場合には当該障害警報を停止すると共に障害復旧イベント信号を送信するようにする。
【０１５０】
また中継送信については、イベント信号を受信した場合に、予め定められたルールや設定状態等に応じて、少なくとも自己の送信元符号を付加して、若しくは受信したイベント信号に含まれる送信元符号を自己の送信元符号に代えて、当該イベント信号を中継送信する。
【０１５１】
図１２は図７の日常的な通報機能を持たない発信機１１における発信機処理の例を示したフローチャートである。図１２において、ステップＳ１０１〜Ｓ１１５は図１０のマスタ発信機処理におけるステップＳ１〜Ｓ１５と同様であるので説明を省略する。その他自己の障害や障害復旧、中継送信処理についても図１０のマスタ発信機処理の場合と同様である。
【０１５２】
図１３乃至図１５は図８の住警器１００における監視処理の例を示したフローチャートである。ここでも中継送信については省略しているが、マスタ発信機１０や発信機１１の場合と同様である。
【０１５３】
図１３において、住警器１００の電池電源１４０による電源供給が開始されると、ステップＳ３１で初期化、自己診断を実行し、異常がなければステップＳ３２に進み、火災を監視している。センサ部１３４の検煙部１１６から出力された煙検出信号が所定の火災レベルを超えるとステップＳ３２で火災を判別してステップＳ３３に進み火災イベント信号を無線送信した後、ステップＳ３４で報知部１３６のスピーカ１５６からの音声メッセージやブザー音等による警報音とＬＥＤ１２２の点灯による警報表示とにより連動元を示す火災警報を出力する。
【０１５４】
続いて、ステップＳ３５でセンサ部１３４の検煙部１１６からの煙検出信号レベルが低下して火災状態が解消する火災復旧の有無を判別しており、火災復旧有りを判別するとステップＳ３６で火災復旧イベント信号を他の端末へ送信した後、ステップＳ３７でスピーカ１５６からの警報音とＬＥＤ１２２の点灯による警報表示とによる連動元を示す火災警報を停止する。なお、ＬＥＤ１２２による警報表示は警報音の停止から所定時間経過後に消灯しても良い。
【０１５５】
続いてステップＳ３８で自己の警報停止スイッチ１２０の操作有無を判別し、スイッチ操作が判別されるとステップＳ３９で警報中か否かを判別する。ステップＳ３９で警報中が判別されると、ステップＳ４０に進んで警報停止イベント信号を他の端末へ送信し、更にステップＳ４１に進んでスピーカ１５６からの連動元を示す警報音出力を停止し、ＬＥＤ１２２の点灯による警報表示を消灯する。なお、このときもＬＥＤ１２２は警報音の停止から所定時間経過後に消灯しても良い。
【０１５６】
ステップＳ３９で警報中でないと判別した場合には、所定の点検動作を実施して結果を報知するようにしているが、図示を省略している。
【０１５７】
続いて図１４のステップＳ４２に進み、他の端末から送信または中継送信された火災イベント信号受信の有無を判別している。火災イベント信号受信を判別すると、ステップＳ４３に進んで連動先を示す火災警報としてスピーカ１５６から警報音を出力し、ＬＥＤ１２２の点滅による警報表示を行う。
【０１５８】
次にステップＳ４４で他の端末から送信または中継送信された火災復旧イベント信号受信の有無を判別しており、火災復旧イベント信号を受信すると、ステップＳ４５に進んで連動先の警報として行っているスピーカ１５６からの警報音出力とＬＥＤ１２２の点滅による警報表示を停止する。
【０１５９】
次にステップＳ４６で他の端末から送信または中継送信された非常通報イベント信号受信の有無を判別しており、非常通報イベント信号を受信すると、ステップＳ４７に進んでスピーカ１５６からの非常通報を示す異常警報音の出力とＬＥＤ１２２の点滅による警報表示を行う。
【０１６０】
次にステップＳ４８で他の端末から送信または中継送信された警報停止イベント信号受信の有無をチェックしており、警報停止イベント信号の受信を判別すると、ステップＳ４９に進んで警報中か否かを判別し、警報中を判別するとステップＳ５０に進んで連動先としての警報音出力を停止し、警報表示も停止させる。
【０１６１】
次にステップＳ５１で他の端末から送信または中継送信された非常通報試験イベント信号受信の有無を判別しており、非常通報試験イベント信号を受信すると、ステップＳ５２に進んでスピーカ１５６からの非常通報試験を示す異常警報音の出力とＬＥＤ１２２の点滅による試験警報表示を行う。
【０１６２】
次に図１５のステップＳ５３に進み、マスタ発信機１０からの送信された、または他の端末から中継送信された通報イベント信号受信の有無を判別しており、通報イベント信号を受信すると、ステップＳ５４に進んで通報イベント信号の通報先符号が自己のアドレス、例えば自己の送信元符号に一致したか否か判別し、一致を判別するとステップＳ５５に進んでイベント符号に対応した通報メッセージをスピーカ１５６から出力させる。
【０１６３】
なお、上記実施形態で説明した非常通報試験に伴う異常警報の出力は、いずれも所定時間経過後に停止するものとする。さらに、マスタ発信機１０や発信機１１においても、他の端末から受信した非常通報試験イベント信号に基づいて非常通報試験動作を行うようにしても良い。
【０１６４】
ところで、各端末に中継送信を行わせる場合のメリットは、例えば端末同士が相互に通信を確保できない場所に配置されている場合にも、この間に中継送信を行う端末が配置されていることで、全体の通信可能エリアを拡げたり、通信の安定性や確実性を確保することにある。
【０１６５】
また、上記の実施形態はマスタ発信機と連動する住警器として、火災を検出して警報する住警器を例にとるものであったが、ガス漏れ警報器、ＣＯ警報器、各種の防犯用警報器を配置した警報システムやそれら各種の警報器を混在させて配置した警報システムについても同様に適用できる。
【０１６６】
また、マスタ発信機１０や発信機１１にはスピーカを設けず、他の端末からのイベント信号受信による連動警報、連動報知機能を省略しても良い。
【０１６７】
また、本発明のマスタ発信機が適用される警報システムは、警報器およびマスタ発信機がそれぞれ１台であることを妨げない。
【０１６８】
また、マスタ発信機と警報器間の連携は無線通信によるものでなくても良く、有線通信によっても、また有線と無線を適宜混在させるものであっても良い。
【０１６９】
また上記の実施形態におけるフローチャートは処理の概略例を説明したもので、処理の順番等はこれに限定されない。また各処理や処理と処理の間に必要に応じて遅延時間を設けたり、他の判定を挿入する等ができる。
【０１７０】
また、上記実施の形態で示した各機器のプロセッサは、その機能の一部又は全部を、例えばワイヤードロジック等による他の手段に代えることができる。プロセッサを含め他の電気的、機能的構成は適宜に統廃合することもできる。
【０１７１】
また、上記実施形態で例示した各端末のＬＥＤによる表示手段は、本発明の目的を達成できるものであれば、これに代えてどのような表示手段を用いても構わない。そして、表示手段は各端末本体と別体に設けられていても良い。
【０１７２】
また、上記の実施形態では、電池電源によって動作する発信機を例に取ったが、電池電源以外の電源で動作するものにも本発明を適用できる。
【０１７３】
また、各端末の無線通信部は、各端末本体と別体に設けられても良い。
【０１７４】
また、上記実施形態で説明した例の他にも各端末にそれぞれ設けた複数のスイッチ等操作部は、適宜複数の機能を兼用するようにしても良い。
また、上記の実施形態は住宅用に限らずビルやオフィス用など各種用途の発信機にも適用できる。
【０１７５】
また、上記の実施形態は警報器にセンサ部と警報出力処理部を一体に設けた場合を例にとるが、他の実施形態として、センサ部と警報出力処理部を別体とした警報器であっても良い。
【０１７６】
また本発明は上記の実施形態に限定されず、その目的と利点を損なうことのない適宜の変形を含み、更に上記の実施形態に示した数値による限定は受けない。
【符号の説明】
【０１７７】
１０：マスタ発信機
１１：発信機
１２，１１２：カバー
１４，１１４：本体
１５，１１５：取付フック
１６：非常押釦
１７，１２２：ＬＥＤ
１８：通報スイッチ群
１８ａ〜１８ｅ：通報スイッチ
１９：種別スイッチ群
１９ａ〜１９ｄ：種別スイッチ
２０，１１８：音響孔
２４：住宅
２８，１２８：プロセッサ
３１，１３１：アンテナ
３０，１３０：無線通信部
３２，１３２：メモリ
３４，１３６：報知部
３６，１３８：操作部
３８：試験スイッチ
４０，１４０：電池電源
４２，１４２：送信回路
４４，１４４：受信回路
４６：イベント信号
４８：連番
５０：送信元符号
５２：グループ符号
５４：イベント符号
５６，１５６：：スピーカ
５８，１５８：イベント検出部
６０，１６０：送信処理部
６２，１６２：受信処理部
６４：発信制御部
６６：通報制御部
１００：住警器
１１６：検煙部
１３４：センサ部
１６４：警報処理部
【図１】
0005744438.tif 000002
【図２】
0005744438.tif 000003
【図３】
0005744438.tif 000004
【図４】
0005744438.tif 000005
【図５】
0005744438.tif 000006
【図６】
0005744438.tif 000007
【図７】
0005744438.tif 000008
【図８】
0005744438.tif 000009
【図９】
0005744438.tif 000010
【図１０】
0005744438.tif 000011
【図１１】
0005744438.tif 000012
【図１２】
0005744438.tif 000013
【図１３】
0005744438.tif 000014
【図１４】
0005744438.tif 000015
【図１５】
0005744438.tif 000016